(57)【要約】      （修正有）【課題】逆転移を防止し、また、画像表示の階調反転を防止するＯＣＢ型液晶表示装置を提供する。【解決手段】黒挿入期間ａのコモン電圧信号ＶＣＯＭを、映像書込み期間ｂのコモン電圧信号ＶＣＯＭよりも大きくする。黒挿入期間ａでは、コモン電圧信号ＶＣＯＭ＝ＶｍＨ、ＶｍＬである。他の映像書込み期間ｂ、映像保持期間ｃ（ｃ１、ｃ２）では、コモン電圧信号ＶＣＯＭ＝ＶｃＨ、ＶｃＬである。コモン電圧信号ＶＣＯＭは、１フレームごとに極性反転する。黒挿入期間ａでは、バックライト１８を消灯させる。そのため、黒挿入電圧の印加により、ＯＣＢ型液晶表示パネルの透過率が高くなっても、コントラストの低下はない。【選択図】      図３２
2007286134.tif 000002
【特許請求の範囲】
【請求項１】
絶縁基板上に複数本のソース信号線と複数本のゲート信号線とが直交して配線され、かつ、前記ソース信号線と前記ゲート信号線の交叉部近傍に薄膜トランジスタが形成されたアレイ基板と、絶縁基板からなる対向基板とを有する液晶表示パネルと、
前記複数本のソース信号線に映像信号を供給するソースドライバー回路と、
前記複数本のゲート信号線にゲート信号を供給するゲートドライバー回路と、
前記対向基板の対向電極にコモン信号電圧の極性を一定周期毎に反転させて印加するコモン信号印加回路と、
前記液晶表示パネルに配されたバックライトと、
を具備する液晶表示装置において、
前記液晶表示パネルに対し１フレーム内に黒挿入期間、映像書込み期間、映像保持期間を順番に実現するコントロール回路と、
前記バックライトを前記黒挿入期間と前記映像書込み期間はオフさせ、前記映像保持期間をオンさせるバックライトドライブ回路と、
前記黒挿入期間に印加される黒挿入電圧の絶対値を前記映像書込み期間の黒色を表示するのに相当する電圧の絶対値よりも大きな値に設定する黒挿入電圧印加手段と、
を有する、
ことを特徴とする液晶表示装置。
【請求項２】
前記黒挿入期間のコモン信号電圧を、前記映像書込み期間のコモン信号電圧よりも大きくする
ことを特徴とする請求項１記載の液晶表示装置。
【請求項３】
前記黒挿入電圧の階調を０以上とする
ことを特徴とする請求項１記載の液晶表示装置。
【請求項４】
パネル温度が所定温度より低いときは前記黒挿入期間を、前記所定温度より高いの前記黒挿入期間よりも長くする
ことを特徴とする請求項１記載の液晶表示装置。
【請求項５】
前記黒挿入期間の開始位置を垂直同期信号を基準にする
ことを特徴とする請求項１記載の液晶表示装置
【請求項６】
前記コントロール回路は、フレーム反転駆動を行う
ことを特徴とする請求項１記載の液晶表示装置。
【請求項７】
前記液晶表示パネルは、ＯＣＢ液晶を挟持している
ことを特徴とする請求項１記載の液晶表示装置。
【発明の詳細な説明】
【技術分野】
【０００１】
本発明は、ＯＣＢ型などの高速応答性を有する液晶表示装置に関するものである。
【背景技術】
【０００２】
従来、液晶表示装置はＴＮ型が一般的に用いられてきたが、動画視認性を改善するために高速応答を特徴とするＯＣＢ型の液晶表示装置が液晶テレビや液晶モニター等に搭載されてきている。
【０００３】
このＯＣＢ型の液晶表示装置においては、光の複屈折を用いて表示を行うために特定電圧でのみ黒表示が可能となり、この最適黒挿入電圧を超える電圧の範囲では、透過率が増大し階調反転が発生する。したがって、ＯＣＢ型液晶表示装置では、黒挿入電圧Ｖを輝度のボトムとなる最適黒挿入電圧の値に設定し、他の階調の表示電圧は、この最適黒挿入電圧より低い電圧をかけて表示している（例えば、特許文献１参照）。
【特許文献１】特開２００５−２３４３７５公報
【発明の開示】
【発明が解決しようとする課題】
【０００４】
上記のようなＯＣＢ型の液晶表示装置においては、逆転移を防止し、また、画像表示の階調反転を防止する必要がある。
【０００５】
そこで、本発明は、上記問題点に鑑み、逆転移を防止し、また、画像表示の階調反転を防止する液晶表示装置を提供することを目的とする。
【課題を解決するための手段】
【０００６】
本発明は、絶縁基板上に複数本のソース信号線と複数本のゲート信号線とが直交して配線され、かつ、前記ソース信号線と前記ゲート信号線の交叉部近傍に薄膜トランジスタが形成されたアレイ基板と、絶縁基板からなる対向基板とを有する液晶表示パネルと、前記複数本のソース信号線に映像信号を供給するソースドライバー回路と、前記複数本のゲート信号線にゲート信号を供給するゲートドライバー回路と、前記対向基板の対向電極にコモン信号電圧の極性を一定周期毎に反転させて印加するコモン信号印加回路と、前記液晶表示パネルに配されたバックライトと、を具備する液晶表示装置において、前記液晶表示パネルに対し１フレーム内に黒挿入期間、映像書込み期間、映像保持期間を順番に実現するコントロール回路と、前記バックライトを前記黒挿入期間と前記映像書込み期間はオフさせ、前記映像保持期間をオンさせるバックライトドライブ回路と、前記黒挿入期間に印加される黒挿入電圧の絶対値を前記映像書込み期間の黒色を表示するのに相当する電圧の絶対値よりも大きな値に設定する黒挿入電圧印加手段と、を有する、  ことを特徴とする液晶表示装置である。
【発明の効果】
【０００７】
本発明によれば、逆転移を防止し、また、画像表示の階調反転を防止できる。
【発明を実施するための最良の形態】
【０００８】
以下、本発明の一実施形態に係る液晶表示装置について図面を参照して説明する。
【０００９】
（１）液晶表示装置の回路構成
図１は、本実施形態の液晶表示装置の回路構成を概略的に示す。
【００１０】
液晶表示装置はＯＣＢモードの液晶表示パネル１９、液晶表示パネル１９を照明するバックライト１８、及び液晶表示パネル１９及びバックライト１８を制御するコントローラ回路１１を備える。
【００１１】
液晶表示パネル１９は一対の電極基板であるアレイ基板１５及び対向基板２１間に液晶層２４を挟持した構造である。液晶層２４は例えばノーマリホワイトの表示動作のために予めスプレイ配向からベンド配向に転移されるＯＣＢ液晶を液晶材料として含む。ベンド配向からスプレイ配向への逆転移は黒表示に対応した黒挿入電圧を液晶層２４に周期的に印加することにより防止される。
【００１２】
アレイ基板１５は、例えばガラス等の透明絶縁基板上に略マトリクス状に配置される複数の画素電極２３、複数の画素電極２３の行に沿って配置される複数のゲート信号線Ｇ（Ｇ１〜Ｇｍ）、複数の画素電極２３の列に沿って配置される複数のソース信号線Ｓ（Ｓ１〜Ｓｎ）、並びにこれらゲート信号線Ｇ及びソース信号線Ｓの交差位置近傍に配置され各々対応ゲート信号線Ｇを介して駆動されたときに対応ソース信号線Ｓ及び対応画素電極２３間で導通する複数の画素スイッチング素子Ｑを有する。各画素スイッチング素子Ｑは例えば薄膜トランジスタからなり、薄膜トランジスタのゲートがゲート信号線Ｇに接続され、ソース−ドレインパスがソース信号線Ｓ及び画素電極２３間に接続される。
【００１３】
対向基板２１は、例えばガラス等の透明絶縁基板上に配置される赤（Ｒ）、緑（Ｇ）、青（Ｂ）の着色層からなるカラーフィルタ、及び複数の画素電極２３に対向してカラーフィルタ上に配置される対向電極２２等を含む。各画素電極２３及び対向電極２２は例えばＩＴＯ等の透明電極材料からなり、互いに平行にラビング処理される配向膜でそれぞれ覆われ、画素電極２３及び対向電極２２からの電界に対応した液晶分子配列に制御される液晶層２４の一部である画素領域と共にＯＣＢ液晶画素１６を構成する。
【００１４】
複数のＯＣＢ液晶画素１６は各々画素電極２３及び対向電極間に液晶容量ＬＣを有する。複数の補助容量線Ｃ１〜Ｃｍは各々対応行の液晶画素１６の画素電極２３に容量結合して補助容量Ｃｓを構成する。
【００１５】
コントローラ回路１１は、さらに複数のスイッチング素子Ｑを行単位に導通させるように複数のゲート信号線Ｇ１〜Ｇｍを順次駆動するゲートドライバー回路１２、各行のスイッチング素子Ｑが対応ゲート信号線Ｇの駆動によって導通する期間において画素電圧を複数のソース信号線Ｓ１〜Ｓｎにそれぞれ出力するソースドライバー回路１４、バックライト１８を駆動するバックライトドライブ回路１７、及びゲートドライバー回路１２、ソースドライバー回路１４を備える。
【００１６】
ＯＣＢ型液晶表示装置においては、図２（ａ）に示すように、ガラス製アレイ基板１５上に配設された画素電極２３と、同じくアレイ基板１５と対向して配置されたガラス製対向基板２１上に配設された対向電極２１間に、電圧が無印加の状態では、液晶層の液晶分子２５はスプレイ配列状態を採る。このため電源投入時に、画素電極２３と対向電極２２との間に数十Ｖ程度の高電圧を印加することで、液晶分子２５をベンド配列状態に移行させる。
【００１７】
このようにして液晶分子２５をベンド配列状態とした後に、動作中は、図２（ｂ）に示すように、駆動電源２６から液晶分子２５にベンド配列状態が維持される低いオフ電圧以上の電圧が印加される。このオフ電圧とこれよりも高い電圧のオン電圧を、図２（ｃ）に示すように、駆動電源２６から画素電極２３間に印加する。このオン・オフ電圧との間で駆動電圧を変化させることによって、図２（ｂ）のベンド配列状態から図２（ｃ）に示すように液晶分子２５のベンド配列状態を変化させ、液晶層のリタデーション値を変化させて透過率を制御している。
【００１８】
図１１は、本実施形態の液晶表示装置の構成図である。表示領域２０には、マトリックス状に画素が配置されている。画素数は、４８０ＲＧＢｘ２４０ドットである。ソースドライバー回路１４は２４０ＲＧＢ出力であり、２個のソースドライバー回路１４ａが表示パネルの搭載されている。
【００１９】
ソースドライバー回路１４ａには、担当する表示領域を２フレーム分格納するＲＡＭが内蔵されている。また、ガンマ（γ）変換回路、外部入力データのラッチ回路が形成されている。またソースドライバー回路１４の出力段には、２４０ＲＧ分の８ビットＤＡ変換回路（ＤＡＣ）が形成されている。
【００２０】
ゲートドライバー回路１２ａは、コモン電圧（ＶｃＨ，ＶｃＬ）の発生回路及びこれらを調整するためのＤＡＣ回路が形成されている。また、ゲートドライバー電圧（Ｖｇｏｎ、Ｖｏｆｆ）の発生回路、ソースドライバー回路１４の電源電圧ＡＶＤＤ＝５Ｖの発生回路を内蔵する。つまり、ゲートドライバー回路１２ａは、ＤＣＤＣコンバータ内蔵のゲートドライバー回路である。図２６に図示するように、温度センサＲｓの電圧がゲートドライバー回路１２に印加され、ゲートドライバー回路１２はパネル温度に対応させて、コモンセンター電圧Ｖｃｎｔ、ガンマ特性カーブを制御する。
【００２１】
ソースドライバー回路１４ａ１、ソースドライバー回路１４ａ２はマスター／スレーブ機能を持ち、外部からの設定により一方がマスター動作するように構成されている。ソースドライバー回路１４ａの制御は、ゲートドライバー回路１２ａが行う。ゲートドライバー回路１２は、マスターのソースドライバー回路１４とも制御し、パネル温度などに対応させてガンマ特性カーブなどと制御する。
【００２２】
１１１は、液晶パネル用フレキシブル基板（ＦＰＣ）であり、その一端には、４５ｐｉｎ、０．５ｍｍピッチのコネクタに接続できるように構成されている。フレキ基板１１１には、電源用コンデンサ、抵抗、ＥＥＰＲＯＭが実装されている。１１２はＬＥＤドライバー回路用フレキシブル基板である。その一端には、４ｐｉｎ、０．５ｍｍピッチのコネクタが接続できるように構成されている。図２６の温度センサＲｓなどはフレキシブル基板に実装する。図２６の温度センサＲｓの出力電圧は、このコネクタを介してゲートドライバー回路１２に印加してもよい。
【００２３】
（２）液晶表示パネルの駆動方法
（２−１）駆動方法の概念
図５は、液晶表示パネル１９の駆動方法の概念を図示している。
【００２４】
図５の動作は、液晶表示パネル１９の動作とバックライト１８の動作が同期を取って制御される。１フレーム（１画像を書き換える周期あるいは区分）は３つの動作に分離される。また、１フレームは１／４を単位として分割される。
【００２５】
１フレーム（１Ｆ）の最初の１Ｆ／４の期間は、黒画像を書き込む黒挿入期間（黒挿入駆動期間）である。表示領域２０には、画面上部から順次、黒挿入電圧が印加される。黒挿入電圧は、基本的にはＯＣＢのベンド配向を維持するために印加する。
【００２６】
前フレームで保持された画像は画面２０の上部から順次黒表示書き換えられ、１Ｆ／４の期間で液晶表示パネル１９の画像表示状態は、黒表示となる。この黒挿入駆動がスプレイ配向への逆転移を防止することができる。本発明は、黒挿入期間ａに表示領域２０の全面に黒挿入電圧を印加するため、均一でかつ画像表示に関係なく高い電圧を印加することができる。したがって、ベンド配向状態を維持しやすく、逆転移は発生しない。また、ソースドライバー回路１４の構成も簡易となり、消費電力も低減する。黒挿入電圧をパネル温度により可変することにより、低温度領域であったても、良好にベンド配向を維持し、階調反転も発生せず、良好な画像品位を実現できる。
【００２７】
次の１Ｆ／４の期間は、表示領域２０の画面上部から順次、表示画像が書き込まれる。つまり、画像の書込み速度は、４倍速である。通常の液晶表示パネルにおいて、１画素行を書き換える期間で、４画素行を書き換える。したがって、１フレームの前半の２Ｆ／４（＝１Ｆ／２）の期間で、黒挿入を行いスプレイ配向への逆転移を防止し、また、映像信号を画素に書き込んで、表示すべき画像に書き換えられる。この黒挿入電圧は、パネル温度に対応させて大きさを変化あるいは調整することが好ましい。
【００２８】
１フレームの後半の２Ｆ／４（＝１Ｆ／２）の期間は、先に書き換えられた画像を保持する期間である。この期間は、ソースドライバー回路１４、ゲートドライバー回路１２の動作は停止する。したがって、使用する電力は微少である。
【００２９】
バックライト１８は１フレームの前半の１Ｆ／２の期間は消灯状態に制御される。つまり、黒挿入期間と、画面書き換え期間（映像書込み期間）ではバックライト１８は非点灯（消灯）状態であるから、液晶表示パネル１９の画像表示状態は見えない。黒挿入期間の黒書き換え電圧が必要以上に高いと、黒浮きが発生し、コントラストが低下するという現象がある。一方、スプレイ配向への逆転移を防止するためには、黒挿入期間に、より高い電圧を印加することが好ましい。
【００３０】
従来の駆動方法では、黒挿入期間に必要以上に高い電圧を印加するとコントラストが低下し、画像表示状態が低下するという課題があった。しかし、本実施形態では、黒挿入期間は、バックライト１８はオフ（消灯）状態である。したがって、黒挿入期間に高い電圧を印加し、コントラストが低下する状態であっても、バックライト１８が点灯していないので、視覚的には完全黒表示状態であり、コントラスト低下は発生しない。したがって、高い黒挿入電圧を印加することができ逆転移を効果的に実施できる。
【００３１】
また、次の画像書き換え期間は、前フレームの画像が順次書き換えられるから、視覚的に見えれば「動画ぼけ」が発生する。しかし、この期間もバックライト１８が消灯状態であるので、画像の書き換え状態が視覚的に認識されない。視覚的には完全黒表示状態である。
【００３２】
１フレームの後半の１Ｆ／２の期間は、先に書き換えられた画像が保持される。また、この期間は画像が書き換えられないので、１Ｆ／２の期間をみれば完全な静止画表示状態である。この期間はバックライト１８が点灯しているので、画像は視覚的に認識される。
【００３３】
以上のように、本実施形態の駆動方法では、コントラスト低下を引き起こす可能性のある黒挿入期間、動画ぼけを発生させる可能性のある画像書き換え期間（映像書込み期間）では、バックライト１８を消灯状態とすることにより画質低下を防止する。
【００３４】
また、１フレームの後半の２Ｆ／４（＝１Ｆ／２）の期間では、書き換えた画像をそのまま保持することにより動画ボケが発生しないようにする。
【００３５】
また、１Ｆ／２でバックライト１８を消灯し、残りの１Ｆ／２の期間でバックライト１８を点灯させることにより、画像表示を間欠表示状態とする。したがって、非常に良好な動画表示を実現できる。
【００３６】
また、後半の２Ｆ／４（＝１Ｆ／２）の期間は、ゲートドライバー回路１２、ソースドライバー回路１４は動作を実質上停止させているため、低消費電力も実現できる。
【００３７】
なお、駆動方法は好ましくはフレーム反転方法を採用する。また、対向電極２２にコモン電圧信号ＶＣＯＭを印加し、１フレーム毎に極性の異なる電圧を印加することが好ましい。
【００３８】
（２−２）駆動方法の画像を用いた説明
以上に説明した駆動方法を、図６、図７の画像に図示している。
【００３９】
図６（ａ１）（ａ２）（ａ３）（ａ４）は黒挿入期間である（１Ｆの最初の１Ｆ／４の期間（第１の期間、図９のａ期間））。図６（ｂ１）（ｂ２）（ｂ３）（ｂ４）は映像信号の書き換え期間である（第２の期間、図９のｂ期間）。図７（ｃ１）（ｃ２）（ｃ３）（ｃ４）、（ｄ１）（ｄ２）（ｄ３）（ｄ４）は映像表示の保持期間（図９のｃ１、ｃ２期間）である（１Ｆの後半の２Ｆ／４（＝１Ｆ／２）の期間（第３の期間））。
【００４０】
図６（ａ１）（ａ２）（ａ３）（ａ４）の黒挿入期間では、全フレームの画像”Ａ”が画面２０の上部から黒画像２０ｂを書き込まれることにより消去される。同時に逆転移を防止することができる。図６（ｂ１）（ｂ２）（ｂ３）（ｂ４）の画像書き換え期間（映像書込み期間）では、今回のフレームの画像”Ｂ”が画面２０に順次書き込まれる。図６に期間は、図示するようにバックライト１８は消灯状態に制御される。
【００４１】
図７（ｃ１）（ｃ２）（ｃ３）（ｃ４）、（ｄ１）（ｄ２）（ｄ３）（ｄ４）は映像表示の保持期間である（１Ｆの後半の２Ｆ／４（＝１Ｆ／２）の期間）。表示画像”Ｂ”はこの期間はそのまま保持される。バックライト１８は点灯状態に制御される。
【００４２】
本実施形態の液晶表示パネルの駆動方法では、黒挿入期間ａ（第１期間）を利用して全液晶画素１６に対する黒挿入書込みを順次行い，この黒挿入期間ａ（第１期間）に続く映像書込み期間ｂ（第２期間）を利用して全液晶画素１６に対する映像信号書込みを順次行う。この場合、ソース信号線Ｓの電位は少なくとも黒挿入走査において変化しない。
【００４３】
第２の期間では、ソース信号線Ｓの電位は、画像表示に対応して電位が変化する。しかし、この映像信号書込期間においても、ソース信号線Ｓ電位が極性反転を伴って変化することはない。フレーム反転駆動だからである。表示画像の保持期間である１フレームの後半の２Ｆ／４（＝１Ｆ／２）では、ソースドライバー回路１４の出力は停止状態であるからソース信号線Ｓの電位は変化しない。
【００４４】
黒挿入期間（第１期間）及び映像書込み期間（第２期間）は、これらの合計時間長が１Ｆ／２期間に等しくする必要があるが、１Ｆ／２期間の時間長に対する第１期間の時間長の割合は、黒挿入率として任意に変更可能である。
【００４５】
（３）フレーム反転駆動
ソース信号線Ｓの電位が１フレーム期間変化しない駆動方法（画像表示はラスター表示とする）としては、カラム反転駆動とフレーム反転駆動が例示される。本実施形態では、カラム反転駆動及びフレーム反転駆動のどちらでも適用可能であるが、消費電力の観点からはフレーム反転駆動の方が有利である。フレーム反転駆動が有利である理由は次の通りである。
【００４６】
第１の理由は、一般にドット反転用あるいはカラム反転用のソースドライバーでは、ソース信号線Ｓ負荷の充放電に必要な電力以外に消費する電力（スタティック電力）がライン反転あるいはフレーム反転用のソースドライバーに比べて大きい。
【００４７】
第２の理由は、フレーム反転では全ての画素列に対する画素電圧の極性が同じであるため、画素電圧に対して対向電圧（共通電圧）ＶＣＯＭを変化させることによりドライバー動作に必要な電圧振幅を低減してソースドライバーの電力消費を低減することができる。
【００４８】
しかしながら、フレーム反転のみにする場合には、表示品質の観点で好ましくないフリッカ（ちらつき）が目立つことがあるため、注意を必要とする。
【００４９】
さらに、ドット反転（またはライン反転）とカラム反転（またはフレーム反転）の類似として、例えばｋ画素ライン（ｋ＝２、３、４、５、６、…）毎に極性反転させるような駆動方法を採用することも不可能ではない。この駆動方法は、純粋なカラム反転（またはフレーム反転）のような消費電力の低減効果を期待できないが、フリッカを低減することができるという利点を有する。但し、極性反転直後の画素ラインで画素電圧の書込特性が他の画素ラインと異なることによって表示画面上に横筋が現れるおそれがある。このようなことから、極性反転のための駆動方法については、製品の仕様を満足するように適切に選定する必要がある。
【００５０】
本実施形態では、全画素に対する非映像信号（黒レベルの画素電圧）の書込みと全画素に対する映像信号（映像レベルの画素電圧）の書込みとのオーバラップによって生じる極性反転の繰返しを無くして消費電力を低減できる。
【００５１】
さらに、映像信号表示に対する非映像信号表示の割合を最適化するために第１期間及び第２期間の長さを互いに調整することも可能である。従って、少ない消費電力を維持して表示品質を向上させることができる。
【００５２】
（４）バックライト１８の制御
本実施形態の液晶表示パネルの駆動方法では、液晶表示パネル１９の動作に同期してバックライト１８を点滅させるようにバックライトドライバー回路１７を制御する。具体的には、全ての液晶画素が映像レベルの画素電圧を保持した状態となる期間だけバックライト１８を点灯させ、それ以外の期間、すなわち黒挿入期間及び映像信号書込みの期間にはバックライト１８は消灯させる。バックライト１８は高速にオンオフさせる観点から、白色ＬＥＤあるいはＲＧＢのＬＥＤを用いたＬＥＤバックライトを採用することが好ましい。また、バックライト１８の輝度あるいは単位時間発生する光束量を調整する。
【００５３】
このような制御には、次のような利点がある。
【００５４】
第１の利点は、映像レベルの画素電圧が全液晶画素に保持されてからバックライト１８が点灯するため、バックライト１８の利用効率を改善できる。時間的な光利用効率は実質的に１００％となる。
【００５５】
第２の利点は、バックライト１８が消灯する１フレーム期間の５０％（一例として）だけ画面を黒表示あるいは映像信号書込み状態にし、１フレーム期間の残り５０％だけ画面を映像表示にする。この場合の輝度プロファイルは、インパルス型に近くなり、動画視認性を向上させることができる。この動画視認性はＭＰＲＴ（Motion Picture Response Time）を指標として表されるが、このＭＰＲＴ値が減少する。
【００５６】
第３の利点は、バックライトＢＬの点灯期間においては、映像信号書込み動作が行われないため、ソース信号線Ｓ電位を変化させる必要がないため、一定値にしておくことができる。従って、カラム反転またはフレーム反転駆動の場合でも、ソース信号線Ｓ及び画素電極間の容量結合や薄膜トランジスタ内のオフリーク電流に起因する縦クロストーク、輝度傾斜のような問題がほとんど発生しない。
【００５７】
第４の利点は、バックライト１８は黒挿入期間及び映像信号書込期間中、消灯しているため、黒挿入期間及び映像信号書込期間の走査速度は同じである必要が無い。このため、黒挿入期間を全液晶画素の行について一括して行い、これに対して映像レベルの画素電圧を書込むために十分な時間を確保するように映像信号書込を行うことが可能になる。これにより、映像レベルの画素電圧の書込特性が向上する。
【００５８】
（５）コモン電圧信号ＶＣＯＭ
図８は、ソース信号線Ｓから出力される映像信号と、対向電極２２に印加されるコモン電圧信号ＶＣＯＭの関係を図示している。ただし、理解を容易にするために図示しており、映像信号をコモン電圧信号ＶＣＯＭの位相関係は考慮していない。
【００５９】
映像信号は、グランド電圧（ＧＮＤ）とソースドライバー回路１４の電源電圧（ＡＶＤＤ）間のいずれかの範囲を振幅する。なお、ＡＶＤＤは、５（Ｖ）〜６（Ｖ）である。コモン電圧信号ＶＣＯＭは、コモンセンター（Ｖｃｎｔ）を中心として、正方向と負方向に振幅Ｖｃｐで振幅する。
【００６０】
コモン電圧信号ＶＣＯＭは、ＶｃＨとＶｃＬで振幅する。正極性範囲（正フレーム）で映像信号とコモン電圧信号ＶＣＯＭにより液晶層に印加される電圧と、負極性範囲（負フレーム）で映像信号とコモン電圧信号ＶＣＯＭにより液晶層に印加される電圧とは異なる。差異は、画素のトランジスタＱなどによる突き抜け電圧などの影響による。コモンセンター電圧Ｖｃｎｔと映像信号Ｖｓとの相対電位関係は、自由に変更できるように構成されている。
【００６１】
図９は、映像信号とコモン電圧信号ＶＣＯＭ及びバックライト１８の点滅制御の関係を記載している。映像信号は、黒挿入期間（第１期間。この期間をａと図示する）と、マトリックス状に配置された画素への映像書込み期間（第２期間。この期間をｂと図示する）、マトリックス状に配置された画素に書き込んだ映像信号の保持期間（第２期間。この期間をｃ１、ｃ２と図示する。但し、この期間は、ソースドライバー回路１４、ゲートドライバー回路１２は動作を停止している。画素に書き込んだ映像信号を保持している期間である）に区分される。
【００６２】
コモン電圧信号ＶＣＯＭは、図９（ｂ）に図示するように、１フレーム毎にコモンセンター電圧Ｖｃｎｔを中心として極性が反転する。つまり、振幅をＶｃｐとして、１フレーム毎にＶｃＨ、ＶｃＬの電圧に変化する。映像信号の極性は、コモン電圧信号ＶＣＯＭの極性に同期して反転させる（図８を参照のこと）。
【００６３】
バックライト１８は、映像信号が黒挿入期間ａと映像書込み期間ｂの期間はオフ（消灯）状態に制御され、映像信号の保持期間（ｃ１、ｃ２）にはオン（点灯）される。なお、１フレームのフレーム周波数は、７２Ｈｚ以上１２５Ｈｚ以下である。７２Ｈｚ未満であると画像表示でフリッカが強くなり画像品位を低下させる。１２５Ｈｚより高いと動画表示性能が著しく低下する。
【００６４】
（６）黒挿入期間の変更例
図９では、黒挿入期間ａは、１Ｆ／４（１フレームの１／４）のように記載しているが、本実施形態はこれに限定するものではない。図１０に示すように黒挿入期間ａ、映像書込み期間ｂ、映像信号の保持期間（ｃ１、ｃ２）などは可変してもよい。
【００６５】
図１０の実施形態では、黒挿入期間ａを１Ｆ／４＋ｓとしている。つまり１Ｆ／４よりもｓの期間長くしている。ｓは０以上１Ｆ／４以下の範囲である。黒挿入期間ａを長くすることにより逆転移を抑制する効果が高くなる。ＯＣＢ液晶表示パネルでは、低温時において逆転移が発生しやすくなる場合がある。したがって、パネル温度に対応させて、黒挿入期間ａを可変することは効果がある。また、黒挿入期間ａを短縮し、映像保持期間ｃ（ｃ１、ｃ２）を長くすることによりバックライト１８の点灯期間を長くでき高輝度表示を実現できる。
【００６６】
黒挿入期間ａは、図２６に図示するように、パネル温度を検出し、自動的に可変する方法も例示されるが、ユーザーが手動で可変する方法も例示される。たとえば、低温時にコントラストが悪い場合に、ユーザーがボリウムなどを操作することにより黒挿入期間ａを調整し、画像表示状態を良好な状態とする。その他、黒挿入期間ａにおいて、同時に黒電圧を書き込む画素行数を複数にする例が例示される。
【００６７】
図１０の実施形態では、黒挿入期間はｓの期間だけ延長される。したがって、黒挿入期間は１Ｆ／４＋ｓである。映像書込み期間ｂは１Ｆ／４と固定されている。映像書込み期間ｂは、映像信号のメインクロックに依存する。メインクロックは入力クロックをＰＬＬ回路で４倍にして発生させる。メインクロックは任意の周波数に変化することが困難である。そのため、選択する画素行のタイミング、周波数を変化することが難しい。また、変化あるいは変更はコストアップの要因となる。本実施形態では、黒挿入期間は可変するが、映像書込み期間ｂ＝１Ｆ／４は固定として回路構成を行うことにより、回路構成を簡易にし、コスト低減を図っている。
【００６８】
映像保持期間ｃは、黒挿入期間ａ＝１Ｆ／４＋ｓとしているため、ｓの期間だけ短縮されている。したがって、映像保持期間ｃ＝ｃ１＋ｃ２＝２Ｆ／４−ｓである。映像保持期間は、ソースドライバー回路１４、ゲートドライバー回路１２などは動作せず、画素１６が映像データを保持している期間であるから、映像保持期間ｃの短縮あるいは延長は非常に容易である。黒挿入期間ａもソースドライバー回路１４は、一定の黒電圧を出力するだけであり、また、ゲートドライバー回路１２の動作周波数を可変するだけで実現することができるから、短縮あるいは延長は容易である。本実施形態は、映像書込み期間ｂは可変せず、黒挿入期間ａ及び映像保持期間ｃのうち少なくとも一方を可変することに特徴がある。
【００６９】
バックライト１８の消灯あるいは点灯制御は、黒挿入期間の開始位置からカウンタをカウントして制御する。バックライト１８を点灯させるＬｏｎ、バックライトを消灯させるＬｏｆｆは、コマンド設定より任意のタイミングに設定できるように構成されている。したがって、映像書込み期間ｂが終了した時点でバックライト１８を点灯させ、映像保持期間ｃが終了した時点でバックライト１８を消灯させるだけでなく、本実施形態の液晶表示パネルの駆動方法では任意のタイミングでバックライト１８はオンオフ（点灯、消灯）制御することができる。
【００７０】
（７）コモン電圧信号ＶＣＯＭの印加方法
（７−１）第１の印加方法
以上の実施形態では、画像表示状態におけるコモン電極２２に印加するコモン信号電圧ＶＣＯＭは、１フレーム毎に変化するとした。つまり、第１フレームがＶＣＯＭ＝ＶｃＨであれば、第２フレームではＶＣＯＭ＝ＶｃＬとし、第３フレームでは、ＶＣＯＭ＝ＶｃＨとなるように制御した。
【００７１】
しかし、本実施形態はこれに限定するものではない。液晶層２４には、交流駆動を実施し、一定の周期で印加する電圧の極性が変化すればよい。また、任意のフレームと次のフレームで正極性の実効値と負極性の実効値が略一致すればよい。コモン電極２２に印加するコモン電圧信号ＶＣＯＭは、画素１６に印加する電圧に対して正極性と負極性で実効値が印加され、フリッカが発生しないように印加すればよい。したがって、コモン電極２２に印加する電圧信号には多くの方法が例示される。コモン電圧信号ＶＣＯＭは、コモンセンター電圧Ｖｃｎｔに対して非対称でもよい。たとえば、ＶｃＨ−ＶｃｎｔとＶｃｎｔ−ＶｃＬが異なっていてもよい。
【００７２】
（７−２）変更例１
以上の実施形態では、消費電力の低減とフリッカの抑制を両立できるという利点があるものの、極低温などで液晶の応答が遅くなった場合に横筋が発生することがある。例えば１行目（奇数行）と２行目（偶数行）の画素１６に注目したとき、これら画素１６に対する書込開始タイミングは奇数ラインの映像信号書込走査と偶数ラインの映像信号書込走査との時間差だけずれる。ここで、液晶の応答に遅れがあると、画素透過率の遷移がバックライト１８の点灯前に完了せず、奇数行の画素１６と偶数行の画素１６との間に透過率の差が生じ、この差による輝度差が横筋として観察されることになる。
【００７３】
この輝度差を目立たなくさせるために、バックライト１８の点灯タイミングを遅らせるとよい。以上のように本実施形態はバクライト１８のオンオフを映像信号に同期させている。また、バックライト１８の点灯あるいは消灯タイミングを変化させることができる。
【００７４】
（７−３）変更例２
以上の実施形態は、表示領域に映像信号を４倍速で画像を書き込む実施形態であった。しかし、本実施形態はこれに限定されるものではない。例えば、図１２に図示するように、６倍速で映像信号を書き込むように構成してもよい。
【００７５】
図１２において、ａ期間、ｂ期間、ｃ１期間、ｃ２期間、ｃ３期間、ｃ４期間のそれぞれの長さは同一である。したがって、１Ｆ／６の期間で黒挿入駆動を実施し、次の１Ｆ／６の期間で映像信号を書き込む。４Ｆ／６（＝２Ｆ／３）の期間は映像信号の保持期間である。
【００７６】
バックライト１８は映像信号の保持期間の間に点灯させる。黒挿入期間ａ、映像書込み期間ｂは消灯させて、画像表示を見えなくする。
【００７７】
（７−４）変更例３
また、図１３に図示するように、映像信号の保持期間ｃ１、ｃ２と映像信号の保持期間ｃ３、ｃ４でコモン電圧信号ＶＣＯＭを極性反転させてもよい。図１３のように、対向電極２２に印加するコモン電圧信号ＶＣＯＭを極性反転されることにより、反転周期が等しくなり、輝度傾斜、フリッカを減少させることができる。
【００７８】
（７−５）変更例４
以上の実施形態は、ソースドライバー回路１４がソース信号線Ｓに出力する信号極性反転方法は、フレーム反転（図１４）あるいはカラム反転方法であるとしたが、本実施形態はこれに限定するものではない。図１５などの駆動方法を採用してもよい。コモン電圧信号ＶＣＯＭはソースドライバー回路１４が出力する信号極性（画素１６に印加する信号極性）に対応させて極性（ＶｃＨ、ＶｃＬ）を変化させればよい。
【００７９】
図１４はフレーム反転駆動の実施形態である。図１４（ａ）は奇数フレームの画素１６の映像信号の極性状態を示している。また、図１４（ｂ）は偶数フレームの画素１６の映像信号の極性状態を示している。図１４などにおいて、”＋”は画素１６に正極性の映像信号が保持されている状態を示している。”−”は画素１６に負極性の映像信号が保持されている状態を示している。
【００８０】
図１５は１ライン反転駆動の実施形態である。図１５（ａ）は奇数フレームの画素１６の映像信号の極性状態を示している。また、図１５（ｂ）は偶数フレームの画素１６の映像信号の極性状態を示している。１ライン反転駆動は１Ｈ反転駆動とも呼ぶ。１画素行毎に画素１６に印加する映像信号の極性を反転させる。
【００８１】
（７−６）変更例５
なお、以上の実施形態は、画素行単位で画素１６に印加する映像信号の極性を反転させるものであった。
【００８２】
しかし、画素列単位で画素１６に印加する映像信号の極性を反転させてもよい。１画素列単位に画素１６に印加する映像信号の極性を逆にすることに限られず、例えば２画素列単位、あるいは３画素列単位に画素１６に印加する映像信号の極性を逆にするようにしてもよい。
【００８３】
（７−７）変更例６
また、本実施形態は映像信号の保持期間ｃで映像信号の書込み動作を停止することに制限されるものではない。ｃ１期間、ｃ２期間で映像信号の書込み動作をおこなってもよい。書き込む画像データは変化がないから、バックライト１８を点灯させた状態でも画質劣化が発生することはなく、また動画表示性能も維持される。
【００８４】
映像信号の書込み走査は１回である必要は無く、３回、４回、・・・、と繰り返しても構わない。２回目以降の映像信号の書込み走査は、バックライト１８の点灯期間中に行ってもよい。映像信号の書込み走査を実施しても、画素１６に書き込む画像データは同一であるから画像表示状態に変化は発生しないからである。もちろん、２回目以降の走査が完了した後にバックライトの点灯を開始しても構わない。また、本来の映像保持期間（ｃ１、ｃ２）において映像信号書込みを行っても良い。このような映像信号の書込み走査の回数、あるいはバックライト１８の点灯タイミングに関しては、ソースドライバー１４にかかる負担や必要輝度等を勘案した上で適当な条件を採用すればよい。
【００８５】
（７−８）変更例７
本実施形態において、液晶応答の遅れに起因して画面２０の上端行と下端行との透過率応答が異なるために輝度傾斜が生じることもある。このような輝度傾斜は複数の画素の行を選択する垂直走査方向を、例えば奇数フレームで上端行から下端行に向って走査し偶数フレームで下端行から上端行に向って走査するような形式で１フレーム期間毎に逆にすることにより抑制できる。また、発生する輝度傾斜に対応させて、映像信号の振幅変調を実施してもよい。また、発生する輝度傾斜に対応させて、コモン電圧信号ＶＣＯＭの振幅値を変調させてもよい。
【００８６】
（７−９）変更例８
本実施形態は、ＯＣＢモードの液晶表示パネルを利用して液晶のベンド配向からスプレイ配向への逆転移を防止できるという効果もある。
【００８７】
なお、本実施形態では、液晶層２４は、ＯＣＢ液晶であるとして説明したが、これに限定するものではない。例えばＴＮ（Twisted Nematic）モード、ＩＰＳ（In-plane Switching）モード、ＶＡ（Vertically Aligned）モードの液晶を用いてもよい。これらの液晶では、黒挿入期間ａを削除してもよい。つまり黒書込みを実施しなくてもよい。その他、強誘電性液晶や反強誘電性液晶を用いても本実施形態の液晶表示パネルの駆動方法は実現できる。また、これらを用いて液晶表示装置を構成できる。
【００８８】
（７−１０）変更例９
なお、本実施形態の実施形態で説明したバックライト１８は、ＬＥＤバックライトや短残光タイプのＣＣＦＬ（冷陰極型蛍光ランプ）のように残光の少ない（すなわちＯＦＦ→ＯＮ、あるいはＯＮ→ＯＦＦでの輝度の立ち上がり、立ち下がりが急峻な）ものが望ましい。本実施形態の液晶表示装置は１フレームあるいは複数フレーム分の映像信号を記憶するためのメモリ（フレームメモリ）を備えていることが望ましい。このフレームメモリは、ソースドライバー回路１４の中に組み込まれていてもよいし、コントローラ回路１１の中に組み込まれていてもよい。なお、バックライト１８のオンオフ制御信号もゲートドライバー回路１２で発生させることが好ましい。
【００８９】
（７−１１）変更例１０
図９の実施形態において、映像保持期間ｃ（ｃ１、ｃ２）に、バックライト１８を常時点灯させるとしたが、本発明はこれに限定するものではない。映像保持期間ｃなどにおいて、バックライト１８を高速に点滅制御して、バックライト１８から放射する光量を調整し、明るさを制御してもよい。つまり、映像保持期間ｃで画像を見えるようにすることが本発明の技術的思想であり、また、黒挿入期間ａなどで液晶表示パネルの画像が見えないようにすることが本発明の技術的思想である。また、バックライトは、映像保持期間ｃなどにおいて１ＫＨｚ以上１５ＫＨｚの周波数で点滅させてもよい。黒挿入期間ａではバックライトは消灯させる。もしくは、略消灯状態に制御する。
【００９０】
（７−１２）変更例１１
以上の実施形態では、ノーマリホワイトモード（ＮＷ）のときの実施形態である。ノーマリブラック（ＮＢ）モードでは、図９の黒挿入期間ａは、白挿入期間ａとすべきである。コモン電圧信号ＶＣＯＭの印加により液晶層２４の透過率が向上し、白表示となるからである。つまり、ａ期間は、液晶層２４に大きな電圧を印加する期間の意味である。また、逆転移を防止あるいは抑制する電圧あるいは信号を印加する技術的思想である。したがって、本発明のａ期間は、黒挿入期間の黒に限定されるものではない。白挿入期間としても技術的には可能である。特に、本発明は、ａ期間ではバックライト１８が消灯されているため、ａ期間が白表示であってもコントラスト低下はない。したがって、本発明の液晶表示パネルの駆動方式では、液晶表示パネルはノーマリブラックモードでも適用できる。本発明の明細書では、説明を容易にするために、ａ期間を黒挿入期間ａとして説明する。以上の事項は、本発明の他の実施形態においても適用される。
【００９１】
（７−１３）変更例１２  
ａ期間（黒挿入期間ａ）は、映像信号は黒階調信号を印加し、コモン電極２２などにはコモン電圧信号ＶＣＯＭを印加することにより、液晶層２４に最高階調あるいはノーマリホワイトモードでは黒表示、ノーマリブラックモードでは白表示となるようにするものである。また、黒挿入電圧書込みａ期間に、高い映像信号電圧を液晶層２４に印加することにより、逆転移を防止し、また、ベンド配向状態を維持させることに技術的意義がある。以上のことから、本発明の駆動方式は、液晶表示パネルのモードがノーマリホワイトでも、ノーマリブラックモードでも適用することができる。以上の事項は、本発明の他の実施形態においても適用される。
【００９２】
（８）黒挿入電圧の変化
（８−１）黒挿入期間の黒挿入電圧の可変
以上の実施形態では、黒挿入期間ａに印加するコモン電圧信号ＶＣＯＭは、映像書込み期間ｂ、映像保持期間ｃと同一するとした。しかし、本発明はこれに限定するものではない。
【００９３】
図３２の実施形態は、黒挿入期間ａのコモン電圧信号ＶＣＯＭを、映像書込み期間ｂのコモン電圧信号ＶＣＯＭよりも大きくした実施形態である。１Ｆ／４の期間のａ期間（黒挿入期間）のコモン電圧信号ＶＣＯＭの絶対値を高く（大きく）する。
【００９４】
以上の実施形態では、黒挿入期間ａに印加するコモン電圧信号ＶＣＯＭを、映像書込み期間ｂに印加するコモン電圧信号ＶＣＯＭよるも大きくする、として説明するが、この”大きくする”という意味は、液晶層２４に印加する電圧の絶対値を大きくするという意味である。コモン電圧信号ＶＣＯＭを大きくすることにより、液晶層２４に高い電界が印加されるようにする。逆に、コモン電圧信号ＶＣＯＭを小さくするとは、液晶層２４に印加する電圧の絶対値を小さくすることである。液晶層２４に印加される電界を小さくする。
【００９５】
液晶層２４に印加する電圧の絶対値を大きくする方法には、映像信号の大きさと、コモン信号電圧ＶＣＯＭの大きさのうち、少なくとも一方を調整することにより実現される。黒挿入期間ａに印加する映像信号による液晶層２４に印加される電圧が小さい時は、コモン信号電圧ＶＣＯＭを大きく（液晶層２４に印加される電界を大きくする）すればよい。また、コモン信号電圧ＶＣＯＭが小さい時（液晶層２４に印加される電界が小さい）は、映像信号電圧を大きくすればよい。当然のことながら、黒挿入期間ａにおいて、コモン信号電圧ＶＣＯＭと映像信号電圧の両方を大きくしても良い。黒挿入期間ａにおける映像信号電圧は、Ｒ、Ｇ、Ｂの液晶層２４のＴＶ特性カーブに適応させて変化させることが好ましい。
【００９６】
なお、以下の実施形態において、コモン電圧信号ＶＣＯＭを大きくして、ａ期間において、液晶層２４に高い電圧を印加するとして説明する。しかし、本発明はこれに限定するものではない。ソースドライバー回路１４から出力される映像信号の大きさを大きくして、液晶層２４に大きな電圧を印加できるようにしてよい。この場合は、黒挿入期間ａに印加するコモン電圧信号ＶＣＯＭは、映像書込み期間ｂと同一でもよい。
【００９７】
（８−２）第１の実施形態
本発明は黒挿入期間ａにおいて、液晶層２４あるいは画素２３に印加する電圧の絶対値を高く印加し、液晶層２４の逆転移を防止するあるいは画像表示の階調反転を防止することを１つの技術的思想としている。したがって、図３２では、コモン信号電圧ＶＣＯＭを黒挿入期間ａに印加する。同様に、画素１６に印加する映像信号の黒電圧を大きくすることによっても、液晶層２４に印加する電圧を高くできる。この場合は、ＲＧＢの液晶層２４の特性に応じて、ＲＧＢごとに印加電圧（印加信号）を設定できるから好ましい。
【００９８】
以上のように、本発明は、黒挿入期間ａに液晶層２４に印加する電圧を階調０の電圧以上とするものである。なお、階調０の適正電圧が、ＲＧＢで異なる場合は、黒挿入期間ａに液晶層２４に印加する映像信号電圧も異ならせることが好ましい。ＯＣＢ液晶ではＲとＧではＴＶ特性カーブが一致し、ＢのＴＶ特性カーブが異なる、したがって、Ｒ、ＧとＢで黒挿入期間ａに印加する黒挿入電圧を異ならせる。
【００９９】
黒挿入期間ａに印加する映像信号の黒挿入電圧を階調０以上とするとともに、コモン信号電圧ＶＣＯＭを映像信号書き込み期間ｂより大きくしてもよい。また、黒挿入期間ａに印加する黒挿入電圧を階調０以上と、コモン信号電圧ＶＣＯＭの絶対値が液晶層２４に印加されるので、コモン信号電圧ＶＣＯＭを所定以上の大きさとすることにより、黒挿入期間ａに印加する映像信号の黒挿入電圧を階調０よりも小さくすることもできる。
【０１００】
図３２において、コモン信号電圧ＶＣＯＭは、正極側がＶｍＨとＶｃＨであり、負極側がＶｍＬとＶｃＬとした。コモン信号電圧ＶＣＯＭとして印加される実効値は、正極側はＶｍＨとその印加時間時間ｔｐ１、ＶｃＨとその印加時間時間ｔｐ２から計算できる。また、負極側はＶｍＬとその印加時間ｔｎ１、ＶｃＬの電圧値とその印加時間時間ｔｎ２から計算できる。したがって、図３２のコモン信号電圧ＶＣＯＭの波形の設定は、以上のコモン信号電圧ＶＣＯＭの実効値を計算して設定する。
【０１０１】
コモン電圧信号ＶＣＯＭは、映像信号の極性に一致させて、１フレームごとに反転させる（フレーム反転駆動の場合）。ここでは、説明を容易するため、１フレームごとにコモン電圧信号ＶＣＯＭを反転させるとして説明をする。また、ａ期間を黒挿入期間ａとして説明をする。
【０１０２】
図３２の実施形態では、黒挿入期間ａでは、コモン電圧信号ＶＣＯＭ＝ＶｍＨ、ＶｍＬである。他の映像書込み期間ｂ、映像保持期間ｃ（ｃ１、ｃ２）では、コモン電圧信号ＶＣＯＭ＝ＶｃＨ、ＶｃＬである。なお、ＶｍＨ、ＶｍＬの絶対値は、ＶｃＨ、ＶｃＬの絶対値よりも大きいとする。コモン電圧信号ＶＣＯＭは、図３２に図示するように１フレームごとに極性反転する。
【０１０３】
黒挿入期間ａは、ベンド配向状態を維持するため、絶対値が高い電圧を印加することが、逆転移を発生することがない好ましい。液晶層２４に印加する電圧を高くしていくと、ノーマリホワイトモードの場合、液晶表示パネルの透過率は低下していく。しかし、一定以上高い電圧を印加すると、逆に液晶表示パネルの透過率が上がり、コントラストが低下する。
【０１０４】
図４の液晶表示パネルの駆動方式では、バックライト１８が常時点灯状態であるため、黒挿入時に透過率が高くなれば、表示コントラストを低下させることになる。しかし、図５の本発明の駆動方式では、黒挿入期間ａでは、バックライト１８が消灯している。そのため、黒挿入により、液晶表示パネルの透過率が高くなっても、コントラストの低下はない。なお、以上の実施形態は、ＯＣＢ液晶表示パネルが透過型の場合を想定している。
【０１０５】
（ＶｍＨ−ＶｃＨ）／ＶｃＨまたは、（ＶｍＬ−ＶｃＬ）／ＶｃＬの絶対値は、１．０５以上１．５以下となるようにすることが好ましい。さらに好ましくは、（ＶｍＨ−ＶｃＨ）／ＶｃＨまたは、（ＶｍＬ−ＶｃＬ）／ＶｃＬの絶対値は、１．１以上１．３以下となるようにすることが好ましい。
【０１０６】
黒挿入期間ａは、１Ｆ／４の期間に限定されるものではない。図３３（ａ）に図示するように、黒挿入期間ａ＝Ｓ１期間は、パネル温度に依存して可変してもよい。図３３（ｂ）では、パネル温度（℃）に対して、Ｓ１期間（ａ期間）を変化させる実施形態である。変化比率１．０を１Ｆ／４期間としている。つまり、変化比率１．５とは、１．５Ｆ／４期間である。変化比率０．５とは、０．５Ｆ／４＝１Ｆ／８期間である。
【０１０７】
（８−３）第２の実施形態
図３３で図示するように、パネル温度が２０℃以上と２０℃以下では、変化比率のカーブを変化させている。パネル温度が低温になるにつれて、黒挿入期間ａを長くする。ＯＣＢ液晶では、低温になるほど、転移時間に長時間を必要とし、また、ベンド配向を維持するための黒挿入書込み時間ａも長時間を必要とするからである。逆にパネル温度が高くなるにつれ、黒挿入期間ａは短くても良い。以上の事項は本発明の他の実施形態においても適用される。
【０１０８】
図３３において、２０℃以下における黒挿入書き込み期間ａの変化比率直線と、２０℃以上における黒挿入期間ａの変化比率直線は異ならせている。ＯＣＢ液晶は、２０℃を境として、２０℃以上では、パネル温度が高くなるにつれ、黒挿入比率を低下させてもベンド配向状態を維持できるからである。黒挿入期間ａを短くした分は、バックライト１８を点灯させる期間を長くすることができる。したがって、本発明は、黒挿入期間ａに対応させて、バックライト１８の点灯期間あるいは消灯期間を変化させている。または、変化させる制御あるいは調整機能を具備している。
【０１０９】
２０℃以下では、低温になるにつれ、黒挿入期間ａを長くしないと、ベンド配向状態を維持しにくくなる。しかし、温度依存性は比較的小さい。したがって、変化比率直線の傾きは２０℃以上に比較して小さい。
【０１１０】
以上のように、本発明は、パネル温度に依存させて黒挿入期間ａを変化させることに特徴がある。また、黒挿入期間ａに対応させてバックライト１８の点灯あるいは消灯制御を実施することに特徴がある。また、好ましくは、パネル温度による変化比率直線の傾きを複数にすることに特徴がある。
【０１１１】
（８−４）第３の実施形態
黒挿入期間ａの開始位置は、図３４で図示するように、垂直同期信号ＶＤを基準にする。垂直同期信号ＶＤの立下りタイミングでカウンタをリセットし、カウンタのカウント値が所定の値（図３４ではｂの期間）となった位置から黒挿入書込みを開始する。また、黒挿入期間ａの終了位置も、図３４で図示するように、垂直同期信号ＶＤを基準にする。垂直同期信号ＶＤの立下りタイミングでカウンタをリセットし、カウンタのカウント値が所定の値（図３４ではｃの期間）となった位置で黒挿入書込みを終了する。
【０１１２】
（８−５）第４の実施形態
以上の実施形態では、黒挿入期間ａに印加するコモン電圧信号ＶＣＯＭを、映像保持期間ｃなどよりも大きくする（液晶層２４に絶対値が大きい電圧を印加する）とした。しかし、本発明はこれに限定するものではない。たとえば、図３５に図示するように、黒挿入期間ａに印加するコモン電圧信号ＶＣＯＭを映像保持期間ｃのコモン電圧信号ＶＣＯＭよりも小さくしている。以上のように、本発明では、黒挿入期間ａに印加するコモン電圧信号ＶＣＯＭを、他の期間に比較して異ならせることに特徴がある。図３５の実施形態は、ＯＣＢ液晶表示パネルにおいて半透過型の場合に特に有効である。
【０１１３】
なお、以下の説明において、説明を容易にするため、以下の条件で説明を行う。液晶表示パネルは、ノーマリホワイトモードであり、階調数８ビット（２５６階調（階調０〜２５５））において、最も透過率Ｔが低くなる階調が０とする。最も透過率が高くなる階調を２５５とする。黒挿入期間ａに印加する映像信号電圧は、少なくとも階調０よりの絶対値を高くする。
【０１１４】
透過型のＯＣＢ液晶表示パネルにおいて、黒挿入期間ａに液晶層２４に印加する電圧は、大きくすることが好ましい。液晶層２４に印加される電圧は、コモン電圧信号ＶＣＯＭと映像信号電圧（ソースドライバー回路１４の出力電圧）である。この２つの電圧の絶対値が大きくなるように、黒挿入期間ａに液晶層２４に印加する。つまり、液晶層２４に印加する電圧は、映像信号電圧とコモン電圧信号ＶＣＯＭを操作することにより変化できる。
【０１１５】
（８−６）第５の実施形態
図３６は、黒挿入期間ａに各画素の液晶層２４に印加する電圧の関係を図示している。図３６では液晶層２４に印加する電圧を映像保持期間ｂで書き込む電圧に相関して変化させている。
【０１１６】
図３６において、電圧比率１とは、階調０の映像信号の時の電圧値である。したがって、電圧比率１．２とは、階調０の電圧が、４．０Ｖであれば、４．０Ｖ×１．２＝４．８Ｖの電圧を該当液晶層２４に印加することを示している。
【０１１７】
黒挿入期間ａに印加する映像信号電圧は、少なくとも階調０の絶対値以上にする。また、好ましくは、コモン電圧信号ＶＣＯＭの電圧を適正に調整し、液晶層２４の透過率が最も低い状態を図３６の電圧比率１とする。もしくは、コモン電圧信号と映像信号電圧による液晶層に印加される絶対電圧により、液晶層２４の透過率が最も低い状態を図３６の電圧比率１とする。液晶層２４に印加する絶対電圧であるから、図３５に図示するように、黒挿入期間ａに印加するコモン電圧が低い場合であっても、映像信号電圧を低くすることにより調整あるいは設定することができる。
【０１１８】
図３６では、各画素１６に印加する映像信号の階調に相関させて、該当画素の黒挿入期間ａに印加する黒挿入電圧（液晶層２４に印加する電圧）を変化させている。たとえば、任意の画素において、前記画素に書き込む階調が６４階調であれば、黒挿入期間ａにおいて、電圧比率１（階調２５５の電圧）を印加し、映像書込み期間ｂにおいて、階調６４の電圧データを画素１６に書き込む。また、任意のある画素に書き込む階調がｋ以上の２４０階調であれば、黒挿入期間ａにおいて、電圧比率１．２（階調２５５の電圧×１．２）を印加し、映像書込み期間ｂにおいて、階調２４０の電圧データを画素１６に書き込む。
【０１１９】
（８−７）第６の実施形態
図３６は、映像書込み期間ｂにおける各画素１６に印加する階調（横軸）と、黒挿入期間ａにおける前記画素１６に印加する電圧比率の関係を示している。電圧比率１とは、階調０の映像信号の時の電圧値である。ｋは、電圧比率を最大にする値である。ノーマリホワイトモードでは、階調が大きいほど液晶層２４の透過率Ｔは大きくなる。したがって、階調が大きいほど液晶層２４に印加される電圧の絶対値は小さい。液晶層２４に印加する電圧が小さいと、ベンド配向状態を維持することが難しくなる場合があり、また、逆転移も発生しやすい。このため、本発明では、液晶層２４の透過率が高い場合（階調が大きい場合）に、黒挿入期間における黒挿入電圧の絶対値を高くしている。
【０１２０】
図３６では、階調０から階調ｋまでは電圧比率を１．０としている。階調ｋから階調２５５の範囲では電圧比率を１．２としている。なお、図３６の点線で示すように階調１２７から階調ｋ間を階調の大きさに対応させて変化させてもよい。
【０１２１】
階調ｋは、パネル温度により変更する。パネル温度が低い時は、ｋの値を小さくする。パネル温度が高い時は、ｋを大きくする。パネル温度が０℃以下では、ｋの値を１６０とし、パネル温度が−２０℃以下では、ｋの値を２２０とする。また、パネル温度が低い時は、電圧比率の値を大きくする。パネル温度が高い時は、電圧比率の値を小さくしても良い（ただし、電圧比率は１．０以上とする）。
【０１２２】
（８−８）第７の実施形態
図３７は、黒挿入期間ａに各画素の液晶層２４に印加する電圧と、映像書込み期間ｂに各画素に印加する階調の関係を図示している。図３７では黒挿入期間ａで液晶層２４に印加する電圧を映像保持期間ｂで書き込む階調に相関して変化させている。
【０１２３】
図３７において、縦軸は、黒挿入期間ａにおける画素の液晶層２４に印加される絶対電圧値である。コモン電圧信号が１フレーム期間で一定の場合は、ソースドライバー回路が出力する映像信号電圧を考えても良い。
【０１２４】
黒挿入期間ａに印加する映像信号電圧もしくは液晶層２４に印加される絶対電圧は、少なくとも階調０の絶対値以上にする。図３７では、各画素１６に印加する映像信号の階調に相関させて、該当画素の黒挿入期間ａに印加する映像信号電圧を変化させている。
【０１２５】
ｋは、電圧比率を最大にする値である。ノーマリホワイトモードでは、階調が大きいほど液晶層２４の透過率Ｔは大きくなる。したがって、階調が大きいほど液晶層２４に印加される電圧の絶対値は小さい。液晶層２４に印加する電圧が小さいと、ベンド配向状態を維持することが難しくなる場合があり、また、逆転移も発生しやすい。このため、本発明では、液晶層２４の透過率が高い場合（階調が大きい場合）に、映像信号電圧の絶対値を高くしている。
【０１２６】
図３７では、階調０から階調ｋまでは黒挿入書込み時の黒挿入電圧を４．５としている。階調ｋから階調２５５の範囲では電圧を６．０としている。なお、図３８で示すように階調１２７から階調ｋ間を階調の大きさに対応させて変化させてもよい。
【０１２７】
階調ｋは、パネル温度により変更する。パネル温度が低い時は、ｋの値を小さくする。パネル温度が高い時は、ｋを大きくする。パネル温度が０℃以下では、ｋの値を１６０とし、パネル温度が−２０℃以下では、ｋの値を２２０とする。また、パネル温度が低い時は、電圧比率の値を大きくする。パネル温度が高い時は、電圧比率の値を小さくしても良い（ただし、電圧比率は１．０以上とする）。
【０１２８】
図３２〜図３８の実施形態は、本明細書で記載した他の実施形態と組み合わせることができることは言うまでもない。また、本発明で記載した他の実施形態を適用できることは言うまでもない。
【０１２９】
（９）フリッカへの対応
本実施形態は、１フレーム期間でバックライト１８をオンオフ（点灯、消灯）させることにより、画像表示を間欠表示させる。間欠表示により動画視認性が飛躍的に向上する。しかし、フレームレートが低いとフリッカが視認される。フレームレートはＮＴＳＣでは６０Ｈｚ（６０コマ／秒）、ＰＡＬ（５０コマ／秒）である。しかし、５０Ｈｚ、６０Ｈｚで本実施形態の駆動方法（間欠表示）を実施するとフリッカが視認させる。フレームレートは、７０Ｈｚを越えたあたりから視認されにくくなり、８０Ｈｚ以上ではほぼフリッカの発生はなくなる。しかし、フレームレートを上げすぎると動画視認性が低下する（動画ボケが発生する）。動画視認性は、１２０Ｈｚを超えたあたりから低下し、１５０Ｈｚ以上ではバックライトを点滅することによる間欠表示による動画視認性の向上効果はなくなる。
【０１３０】
ＮＴＳＣでは６０Ｈｚ（６０コマ／秒）、ＰＡＬ（５０コマ／秒）であるから、そのまま間欠表示を実施したのではフリッカの発生により画像表示品位が低下する。このフリッカの発生課題に対して、本実施形態は、フレームレート変換を実施している。本発明の液晶表示装置の駆動方式では、入力画像のフレームレートを、１．２５倍、１．５倍あるいは２．０倍に変換して、画像表示を行う。好ましくは、入力画像のフレームレートを１．５倍する。たとえば、入力画像のフレームレートが６０Ｈｚであれば、９０Ｈｚにする。
【０１３１】
本発明は以上のようにフレーム変換を行うことにより黒挿入期間ａなどによるフリッカが見えないようにしている。したがって、以前に説明した本発明の駆動方式とこのフレームレート変換技術を組み合わせることにより相乗効果が得られる。
【０１３２】
（１０）ガンマカーブ発生回路
図１６は本実施形態のガンマカーブ発生回路の構成図である。ガンマカーブ発生回路は、図１２などでも説明したように本実施形態のソースドライバー回路１４内に形成される。ガンマカーブ発生回路で発生する電位の最低は、０Ｖ（ＧＮＤ電位）であり、電位の最大は、５Ｖ（ソースドライバー回路１４の電源電圧ＡＶＤＤ）である。ガンマカーブの低電位は、階調アンプ１６２ｂで規定する。ガンマカーブの高電位は、階調アンプ１６２ａで規定する。階調アンプ１６２ａが出力する電圧はＶＯＰＨとする。階調アンプ１６２ｂが出力する電圧はＶＯＰＬとする。
【０１３３】
階調アンプ１６２の出力電圧は、振幅調整レジスタ１６１で制御する。振幅調整レジスタ１６１の出力ビットは６ビットである。したがって、階調アンプ１６２は、６４段階で出力変化が可能である。階調アンプ１６２ａの値を高く（高電位）にすることにより、ガンマカーブの振幅値は大きくなる。階調アンプ１６２ａの値を低く（低電位）にすることにより、ガンマカーブの振幅値は小さくなる。階調アンプ１６２ｂの値を高く（高電位）にすることにより、ガンマカーブの振幅値は小さくなる。階調アンプ１６２ａの値を低く（低電位）にすることにより、ガンマカーブの振幅値は大きくなる。図２０にこの関係を図示している。図１６の構成では、階調アンプ１６２ａと階調アンプ１６２ｂを独立で動作させることもできる。
【０１３４】
図２０に図示するように、階調アンプ１６２ａと階調アンプ１６２ｂの変異量（Ａ、Ｂ）は同一にする方が好ましい。振幅調整レジスタ１６１から階調アンプ１６２の制御も容易となる。図１６では、階調アンプ１６２ａと階調アンプ１６２ｂの制御に各６ビット必要であるが、図２０の構成であれば、階調アンプ１６２の電位変化方向が決定されているので６ビットである。階調アンプ１６２ａと階調アンプ１６２ｂに６ビットのデータを設定すれば、階調アンプ１６２ａは、ＡＶＤＤ電圧から電圧が低い方向に電位設定される。階調アンプ１６２ｂは、ＧＮＤ電圧から電圧が高い方向に電位設定される。
【０１３５】
図２０（ａ）は、階調アンプ１６２ａの出力電圧ＶＯＰＨは電位ＡＶＤＤからＡの大きさの電位が低下した電位設定となり、階調アンプ１６２ｂの出力電圧ＶＯＰＬは電位ＧＮＤからＡの大きさの電位が上昇した電位設定となる。図２０（ｂ）は、階調アンプ１６２ａの出力電圧ＶＯＰＨは電位ＡＶＤＤからＢの大きさの電位が低下した電位設定となり、階調アンプ１６２ｂの出力電圧ＶＯＰＬは電位ＧＮＤからＢの大きさの電位が上昇した電位設定となる。
【０１３６】
階調アンプ１６２ａと階調アンプ１６２ｂ間には、抵抗がラダー状に接続されている。なお、抵抗ラダーは、液晶に負極性の画像データを印加する負極性用と、液晶に正極性の画像データを印加する正極性用とがある。抵抗は、拡散抵抗で形成する。またポリシリコンで形成してもよい。
【０１３７】
それぞれの抵抗（ＶＲ１Ｐ、ＶＲ２Ｐ、ＶＲ３Ｐ、ＶＲ４Ｐ・・・・・、ＶＲ１Ｎ、ＶＲ２Ｎ、ＶＲ３Ｎ、ＶＲ４Ｎ・・・・・）間には、端子が接続されている。端子の接続数と抵抗ラダーの分割数でガンマカーブの折れ線数が決定される。
【０１３８】
抵抗ラダーの抵抗（ＶＲ１Ｐ、ＶＲ２Ｐ、ＶＲ３Ｐ、ＶＲ４Ｐ・・・・・、ＶＲ１Ｎ、ＶＲ２Ｎ、ＶＲ３Ｎ、ＶＲ４Ｎ・・・・・）の抵抗値は、上下で同一になるように構成される。例えば、ＶＲ１ＰとＶＰＮＰは同一の抵抗値であり、ＶＲ１ＮとＶＰＮＮは同一の抵抗値である。
【０１３９】
抵抗ラダーの抵抗（ＶＲ１Ｐ、ＶＲ２Ｐ、ＶＲ３Ｐ、ＶＲ４Ｐ・・・・・、ＶＲ１Ｎ、ＶＲ２Ｎ、ＶＲ３Ｎ、ＶＲ４Ｎ・・・・・）の抵抗値は、コマンド設定で可変できるように構成されている。コマンドにより、抵抗値が変化する。変化は図１９のように、抵抗Ｒに付加されたスイッチＳＷのオンオフにより行う。
【０１４０】
図１９は一例として抵抗ＶＲ１Ｐの部分の構成図である。図１９（ａ）の実施形態では値が等しい抵抗Ｒを短絡するスイッチＳＷが形成されている。例えば、スイッチＳＷ１をクローズすることにより１つの抵抗Ｒが見かけ上０Ωとなる。したがって、全体としてＶＲ１Ｐの抵抗値が低減する。スイッチＳＷを短絡する個数によりＶＲ１Ｐの抵抗値はステップ的に変化させることができる。
【０１４１】
図１９（ｂ）は、スイッチＳＷ１〜スイッチＳＷ８のいずれかのスイッチＳＷをクローズすることによりラダー抵抗ＶＲ１Ｐの抵抗値を変化あるいは変更することができる。以上の構成を、抵抗ラダーの抵抗（ＶＲ１Ｐ、ＶＲ２Ｐ、ＶＲ３Ｐ、ＶＲ４Ｐ・・・・・、ＶＲ１Ｎ、ＶＲ２Ｎ、ＶＲ３Ｎ、ＶＲ４Ｎ・・・・・）に行えば、コマンド設定で各端子（Ｖ１〜ＶＮ）の電圧値を可変できるように構成できる。
【０１４２】
抵抗ラダーの抵抗（ＶＲ１Ｐ、ＶＲ２Ｐ、ＶＲ３Ｐ、ＶＲ４Ｐ・・・・・、ＶＲ１Ｎ、ＶＲ２Ｎ、ＶＲ３Ｎ、ＶＲ４Ｎ・・・・・）を変化させることにより、図１８に図示するように、階調レベルに対する階調電圧（Ｖ１〜ＶＮ）を変化することができ、液晶２５の特性に合わせて数々のガンマカーブを発生させることができる。
【０１４３】
また、階調アンプ１６２ａ、階調アンプ１６２ｂの値を変化させることにより、図１７に図示するように、ガンマカーブに振幅値を変更することができる。また、階調アンプ１６２ａの出力電圧ＶＯＰＨ、階調アンプ１６２ｂの出力電圧ＶＯＰＬを変化させた場合、その中間電位であるＶ２〜ＶＮ−１はＶＯＰＨ−ＶＯＰＬの大きさに比例して変化する。したがって、ガンマカーブの振幅値は変化するが、ガンマの折れ点位置が比例して変化するため、ガンマカーブの形も比例的に変化する。この特徴は重要な利点である。ＯＣＢ液晶などの温度依存性を容易に補償できるからである。
【０１４４】
選択回路１６２は２つの接点から１つの接点を選択する回路（２ｔｏ１）である。例えば、図１６で選択回路１６２ａは正極性のラダー抵抗の端子ａ１と負極性のラダー抵抗の端子ｂ１からいずれの端子を選択し、端子Ｖ２に出力する。選択回路１６２はａ接点（ａ１、ａ２、ａ３・・・・・）とｂ接点（ｂ１、ｂ２、ｂ３、ｂ４・・・・・）のいずれかの接点を選択する。つまり、選択回路１６２が選択して端子Ｖ（Ｖ２〜ＶＮ−１）１６３に出力する電圧は、正極性のラダー抵抗出力か、負極性のラダー抵抗出力かのいずれかとなる。
【０１４５】
選択回路１６２が接点ａを選択するときは、ソースドライバー回路１４がソース信号線Ｓに出力する映像信号の極性は正極性である。選択回路１６２が接点ｂを選択するときは、ソースドライバー回路１４がソース信号線Ｓに出力する映像信号の極性は負極性である。
【０１４６】
コモン電圧信号ＶＣＯＭ回路は、図１１でも説明したがゲートドライバー回路１２ａに形成されている。回路構成を図２１に図示している。コモン電圧信号ＶＣＯＭは、コモンセンター電圧Ｖｃｎｔを決定するＣＮＤＡＴＡである８ビットコマンドデータと、コモン振幅を決定するＣＰＤＡＴＡである８ビットコマンドデータで行われる。ＣＮＤＡＴＡである８ビットコマンドデータは、温度補償で変更する以外は固定値であるが、コモン振幅を決定するＣＰＤＡＴＡである８ビットコマンドデータは、フレーム反転信号または映像信号の反転に同期して変化させられる。
【０１４７】
ＣＮＤＡＴＡはＤＡコンバータ回路３１２ｂに入力され、ＤＡコンバータ回路２１３ｂはアナログデータのコモンセンター電圧Ｖｃｎｔを出力する。コモンセンター電圧Ｖｃｎｔの設定範囲は、ソースドライバー回路１４のＧＮＤからＡＶＤＤ電圧範囲である。
【０１４８】
ＣＰＤＡＴＡはＤＡコンバータ回路２１３ａに印加され、ＤＡコンバータ回路２１３ａはコモン振幅電圧Ｖｃｐを出力する。コモン振幅電圧Ｖｃｐは図９でも説明したように正方向と負方向の２つがある。ＣＰＤＡＴＡの８ビットのうち、上位１ビットが符号ビットであり、下位７ビットがコモン振幅電圧Ｖｃｐの大きさを示す。コモン電圧信号ＶＣＯＭはコモン電極２２に印加される。
【０１４９】
以上の図２１のコモン電圧信号ＶＣＯＭ出力回路と、図１６のガンマ変換回路により、映像信号の振幅、階調の折れ点位置、コモン電圧を自由に設定できる。
【０１５０】
ＯＣＢはパネル温度が高温時には、映像振幅を少なく、コモン電圧による嵩上げ分を少なくする必要がある。また、パネル温度が低温時には、相対的に映像振幅を大きく、コモン電圧による嵩上げ分を相対的に大きくする必要がある。
【０１５１】
例えば、図２２（ａ）（ｂ）は、コモンセンター電圧Ｖｃｎｔは同一電位である。図２２（ａ）に図示するように、パネルが低温時には、コモン振幅電圧Ｖｃｐを大きくし、また、図１６の階調アンプ１６２ａの出力電圧ＶＯＰＨの電位を高く、階調アンプ１６２ｂの出力電圧ＶＯＰＬの電位を低くすることにより液晶層２４に印加する画像データを大きくしている。図２２（ｂ）に図示するように、パネルが高温時には、コモン振幅電圧Ｖｃｐを小さくし、また、図１６の階調アンプ１６２ａの出力電圧ＶＯＰＨの電位を低く、階調アンプ１６２ｂの出力電圧ＶＯＰＬの電位を高くすることにより液晶層２４に印加する画像データを小さくしている。以上のように液晶２５の温度依存性に適応するように自由に設定あるいは調整することができる。
【０１５２】
図２３は、横軸を液晶層２４に印加する電圧Ｖであり、縦軸が液晶層の透過率Ｔである。つまり、ＴＶ特性カーブである。図２３において、実線のＴＶ特性カーブの変化領域Ｖｗ１と、点線のＴＶカーブの変化領域Ｖｗ２は、同一である。異なるのは嵩上げ分のＡとＢである。Ａ、Ｂの大きさは、コモン電圧信号ＶＣＯＭで変化させる。
【０１５３】
図２４も同様に、横軸を液晶層２４に印加する電圧Ｖであり、縦軸が液晶層の透過率Ｔである。つまり、ＴＶ特性カーブである。図２４において、実線のＴＶ特性カーブの変化領域Ｖｗ１と、点線のＴＶカーブの変化領域Ｖｗ２が異なっている。嵩上げ分はＡで同一である。Ｖｗ１とＶｗ２の大きさは、図１６の階調アンプ１６２ａの出力電圧ＶＯＰＨと、階調アンプ１６２ｂの出力電圧ＶＯＰＬで変化させることができる。図２４では実線のＴＶ特性カーブは階調アンプ１６２ａの出力電圧をＶＯＰＨ２とすることで設定している。点線のＴＶ特性カーブは階調アンプ１６２ａの出力電圧をＶＯＰＨ１とすることで設定している。
【０１５４】
以上のように本実施形態では、コモン電圧信号ＶＣＯＭ及びガンマカーブを自由に設定でき、また、ガンマカーブは階調アンプ１６２の設定により振幅の折れ点位置を比例的に維持したまま変化あるいは変更することができる。したがって、図２５に図示するように、パネル温度によりコモン電圧信号ＶＣＯＭのＶｃｐ、Ｖｃｎｔを調整できる。また、ＴＶ特性カーブも液晶層２４の温度特性に合わせて調整あるいは可変することができる。また、図１６に図示するガンマ発生回路により、黒挿入期間ａの黒挿入電圧（コモン信号電圧ＶＣＯＭ、映像信号電圧）を容易に調整あるいは設定できる。したがって、本発明の駆動方式と組み合わせることにより相乗効果が発揮される。また、パネル温度によるこれらの設定あるいは可変が容易である。
【０１５５】
（１１）パネル温度の検出
（１１−１）検出回路の構成
図２６はパネル温度を検出及び操作する検出回路の構成図である。
【０１５６】
パネルの画像表示に無効な領域にはサーミスタなどの温度検出抵抗Ｒｓ（温度センサ）が配置されている。Ｒｓは温度依存性のない抵抗Ｒ１と直列接続されている。Ｒｓのａ端子の電圧は、ＡＤコンバータ回路３６１に入力される。
【０１５７】
ＡＤコンバータ回路３６１は、ａ端子の電圧をＡＤ変換し、デジタルデータとする。デジタル変換されたデータは、ロジック処理回路３６２に入力される。ロジック処理回路３６２は、デジタル変化された温度データに対して処理を実施し、結果に対応するデータをＥＥＰＲＯＭ３６３から読み取る。読み取ったデータは、転移制御回路３６４に印加する。転移制御回路３６４の動作は、図１１で説明しているので説明を省略する。転移制御回路３６４はパネル温度が低温になるにつれて転移動作時間Ｔｃｗ（秒）を長くする。パネル温度が高温時は、転移動作時間ｔｃｗ（秒）を相対的に短くする。
【０１５８】
ロジック処理回路３６２は、ＥＥＰＲＯＭ３６３から読み取ったデータは、コモン制御回路３６５に印加する。コモン制御回路３６５の動作、構成は、図２１などで詳細に説明しているので説明を省略する。コモン制御回路３６５はパネル温度が低温になるにつれてコモン振幅電圧Ｖｃｐを大きくする。また、コモンセンター電圧Ｖｃｎｔを高くする。パネル温度が高温時は、コモン振幅電圧Ｖｃｐを相対的に小さくする。またコモンセンター電圧Ｖｃｎｔを相対的に低くする。
【０１５９】
ロジック処理回路３６２は、ＥＥＰＲＯＭ３６３から読み取ったデータは、ガンマ変換回路３６６に印加する。ガンマ変換（制御）回路３６６の動作、構成は、図１６などで詳細に説明しているので説明を省略する。ガンマ変換回路３６６はパネル温度が低温になるにつれて映像振幅電圧Ｖｗを大きくする。パネル温度が高温の時は、映像振幅電圧Ｖｗを相対的に小さくする。
【０１６０】
図２３の実施形態では、パネル温度が高い場合を点線で示している。パネル温度が低い場合の例を実線で示している。階調０から階調２５５に対応する映像信号の電圧幅Ｖｗに関してＶｗ１とＶｗ２は同一である。図２３の実施形態では、コモン振幅電圧Ｖｃｐで変化させるＡ、Ｂの大きさを変化させることにより、液晶層２４に印加する電圧の絶対値を変化させている。
【０１６１】
コモン振幅電圧Ｖｃｐの温度補正は、映像振幅電圧の大きさに対応して変化させることが好ましい。図２８にその実施形態を図示している。
【０１６２】
図２４の実施形態では、パネル温度が高い場合を点線で示している。パネル温度が低い場合の例を実線で示している。階調０から階調２５５に対応する映像信号の電圧幅Ｖｗに関してＶｗ１とＶｗ２は異なる。コモン振幅電圧Ｖｃｐで規定するＡは実線と点線で共通である。図２４の実施形態では、コモン振幅電圧Ｖｃｐ＝Ａの大きさを変化させず、映像信号の振幅を変化させることにより、液晶層２４に印加する電圧の絶対値を変化させている。
【０１６３】
映像信号の振幅Ｖｗ１、Ｖｗ２は、図１６のガンマ回路で変化させる。変化はパネル温度に応じて変化させる。図１６の実施形態では、階調アンプ１６２ｂの出力電圧をＶＯＰＬと共通にし、階調アンプ１６２ａの出力電圧ＶＯＰＨを実線ではＶＯＰＨ２とし、点線ではＶＯＰＨ１とする。振幅Ｖｗ１とＶｗ２の階調に対するガンマカーブは相似である。パネル温度が高くなるにしたがって、映像振幅Ｖｗを小さくする。
【０１６４】
なお、図２４において、階調アンプ１６２ａの出力電圧をＶＯＰＨ１、ＶＯＰＨ２と異ならせ、階調アンプ１６２ｂの出力電圧ＶＯＰＨを実線と点線で共通にしてもよい。この場合は、コモン振幅電圧Ｖｃｐを図２３のように、実線と点線で変化あるいは調整することにより液晶層２４に印加する電圧値を一致または変化させることができる。
【０１６５】
図２３、図２４の実施形態では、パネル温度変化により、低階調領域（黒電圧）で階調が反転することを防止するために、温度補償を実施する。本発明は温度補償が容易である。パネル温度により、映像振幅Ｖｗ、コモンセンター電圧Ｖｃｎｔ、コモン振幅電圧Ｖｃｐなどを自由に調整することができる。
【０１６６】
図２５に図示するように、パネル低温時に実線のＴＶカーブで、パネル高温時に点線のＴＶカーブに変化するとする。パネル低温時に実線のＴＶカーブで最も低い透過率の電圧はＶ１とし、パネル高温時に点線のＴＶカーブで最も低い透過率の電圧はＶ２とする。
【０１６７】
パネル低温時に点線のＴＶカーブに変化したにもかかわらず、ＴＶカーブが実線の場合、階調に対応するＶ１の電圧が印加されると、透過率は、Ｖ２の場合よりも高くなる。したがって、コントラストが低下し、画像表示品位が低下する。
【０１６８】
本発明、コモン振幅電圧Ｖｃｐ、映像振幅電圧Ｖｗ（ＶＯＰＨ、ＶＯＰＬ）、コモンセンター電圧Ｖｃｎｔの調整などにより、ガンマカーブは相似形を保持したまま、液晶層２４に印加する電圧を変化させることができる。つまり、パネル温度にあわせて実線のＴＶカーブから点線のＴＶカーブに容易に変化あるいは調整できる。したがって、ＯＣＢ液晶表示パネルで課題である低階調領域での階調反転を抑制できる。また、パネル温度が変化しても表示コントラストを良好に維持できる。
【０１６９】
図１６に図示するガンマ発生回路を、Ｒ、Ｇ、Ｂの３系統（３回路）をソースドライバー回路１４内に形成することにより、ＲＧＢの液晶層２４の特性に対応させてガンマ特性カーブ、温度補正を行うことができるので好ましい。なお、ＯＣＢ液晶では、ＲとＧの液晶層２４のＴＶカーブは略一致している。したがって、ＲとＧ用のガンマ発生回路と、Ｂのガンマ発生回路の２回路を形成することが好ましい。
【０１７０】
（１１−２）データの一例
図２７はＥＥＰＲＯＭ３６３に格納されているデータの一例を示している。ＥＥＰＲＯＭ３６３は、温度にあわせて各種のデータが格納されている。図２７では説明を容易にするため、あるいは理解を容易にするため、表のデータは電圧（Ｖ）、時間(秒）で記載している。データは、階調アンプ１６２の出力データＶＯＰＨ、ＶＯＰＬ（を示すビットデータ）、コモンセンター電圧Ｖｃｎｔ（を示すビットデータ）、コモン振幅電圧Ｖｃｐ（を示すビットデータ）、転移時間（を示すビットデータ）などである。
【０１７１】
図２７に図示するように、ＥＥＰＲＯＭ３６３に格納されているデータは、一定の範囲で固定である。つまり、−２０〜−１０℃の範囲では設定データは同一である。これらのデータは、任意の範囲（例えば−２０〜−１０℃）と前記任意の範囲に隣接した範囲（−１０〜０℃）間は演算式を用いて連続的に演算して、階調アンプ１６２の出力データＶＯＰＨ、ＶＯＰＬ（を示すビットデータ）、コモンセンター電圧Ｖｃｎｔ（を示すビットデータ）、コモン振幅電圧Ｖｃｐ（を示すビットデータ）、転移動作時間（を示すビットデータ）を出力してもよい。
【０１７２】
図２７では、パネル温度が低いほどＶＯＰＨを高くしている。一例として−２０〜−１０℃の範囲では、５（Ｖ）である。＋５０〜４０℃の範囲では、３．４（Ｖ）である。パネル温度が低いほどＶＯＰＬを低くしている。一例として−２０〜−１０℃の範囲では、０（Ｖ）である。＋５０〜４０℃の範囲では、１．６（Ｖ）である。
【０１７３】
また、パネル温度が低いほどコモンセンター電圧Ｖｃｎｔは高くしている。一例として−２０〜−１０℃の範囲では、１．８（Ｖ）である。＋５０〜４０℃の範囲では、１．０（Ｖ）である。また、パネル温度が低いほどコモン振幅電圧Ｖｃｐを高くしている。一例として−２０〜−１０℃の範囲では、１．６（Ｖ）である。＋５０〜４０℃の範囲では、１．４（Ｖ）である。
【０１７４】
転移動作時間は、パネル温度に対する変化が顕著である。パネル温度が低いほど転移動作期間ｔｃｗを長くしている。一例として−２０〜−１０℃の範囲では、３（秒）である。＋５０〜４０℃の範囲では、０．５（Ｖ）である。
【０１７５】
ＥＥＰＲＯＭ３６３のデータが各温度でステップ的にしか得られない場合は、一度データを変化させた場合は、一定の設定時間あるいは一定の設定条件を満足するまでデータを変更しないように構成することが好ましい。つまり、データの変更に対してヒステリシス特性を持たせる。例えば、データの変更後は、パネル温度に変化があって、次の条件の温度範囲のデータに変更する条件となっても３分間は変更しないようにする。例えば、データの変更後は、パネル温度に変化があって、次の条件の温度範囲のデータに変更する条件となっても１５℃以上の変化がない場合は変更しないようにする。
【０１７６】
現温度の設定データから次の温度の設定データに変化する時は、各温度の変化量に差異をつけるように構成することが好ましい。また、温度の変化による移動方向は正方向または負方向のどちらかに限定制御する。例えば、図３１に図示するように制御を行う。
【０１７７】
図３１では、パネル温度が高くなる場合は、実線の条件（Ａ方向）で変化条件を設定する。パネル温度が低くなる場合は、点線の条件（Ｂ方向）で変化条件を設定する。データの変更（次の温度条件のデータ設定値への変更、図２７で説明した内容を参照のこと）は、縦軸の温度変化条件を満足する時に行う。例えば、実線の温度が高くなる場合であれば、現温度に対するデータ設定値が０〜１０℃の場合であれば、１５℃の変化があった場合に、データ設定値を１０〜２０℃の温度に対する設定値に変更する。また、現温度に対するデータ設定値が３０〜４０℃の場合であれば、５℃の変化があった場合に、データ設定値を４０〜５０℃の温度に対する設定値に変更する。
【０１７８】
点線の温度が低くなる場合であれば、現温度に対するデータ設定値が０〜１０℃の場合であれば、−１５℃の変化があった場合に、データ設定値を−１０〜０℃の温度に対する設定値に変更する。また、現温度に対するデータ設定値が３０〜４０℃の場合であれば、−５℃の変化があった場合に、データ設定値を２０〜３０℃の温度に対する設定値に変更する。
【０１７９】
（１１−３）温度による調整変更
温度による調整変更は、図２８、図２９に図示するように、所定の温度位置をピーク（図２８、図２９では温度０℃）として、このピーク位置から離れるにしたがって、変化量を小さくするように設定することが好ましい。
【０１８０】
図２８は、コモン電圧の変化を比率で示している。図２８では、温度０℃のコモンセンター電圧Ｖｃｎｔを１としている。温度−４０℃では、コモンセンター電圧Ｖｃｎｔは０℃に対して０．９にする。例えば、温度０℃のコモンセンター電圧Ｖｃｎｔが、１．０Ｖであれば、−４０℃でのコモンセンター電圧Ｖｃｎｔは、０．９Ｖとする。温度６０℃では、コモンセンター電圧Ｖｃｎｔは０℃に対して０．８にする。例えば、温度０℃のコモンセンター電圧Ｖｃｎｔが、１．０Ｖであれば、６０℃でのコモンセンター電圧Ｖｃｎｔは、０．８Ｖとする。以上のように本実施形態は、所定のピーク値に対して比率で各電圧を制御あるいは設定する。また、ある温度でピークの値を１とし、比例的に各温度の設定値を設定する。
【０１８１】
一例として図２８などで示すコモンセンター電圧Ｖｃｎｔは、該当温度特性カーブを演算式として求め、温度を変数として、変化値（コモンセンター電圧Ｖｃｎｔ）を得ることが好ましい。しかし、演算式を用いる場合は、ロジック容量が大きくなる。この課題に対しては、図３０に図示するように温度特性カーブを近似すればよい。または、データテーブル化すればよい。
【０１８２】
図３０では、実温度特性カーブは、点線である。これを実線のように近似し、近似した直線をＥＥＰＲＯＭに格納するか、もしくは簡単な演算式を構成する。図３０では、温度−４０〜−２０℃では、直線式で示される。温度−２０〜２０℃は比率１．０である。つまりピーク値と同一にする。温度２０〜４０℃と、温度４０〜６０℃では、傾きは異なるが直線式で示される。
【０１８３】
映像振幅電圧Ｖｗ（図２３、図２４などを参照のこと）とコモンセンター電圧Ｖｃｎｔとは相関させて変化させる。映像振幅電圧Ｖｗを小さくする時は、コモンセンター電圧Ｖｃｎｔも低下させる。映像振幅電圧Ｖｗを大きくする時は、コモンセンター電圧Ｖｃｎｔも上昇させる。また、映像振幅電圧Ｖｗとコモンセンター電圧Ｖｃｎｔのピーク位置は一致させて制御を行う。なお、一致とは略一致のことであり、プラスマイナス５℃の範囲は略一致の範囲である。
【０１８４】
映像振幅電圧Ｖｗの温度による調整変更は、図２９（ａ）に図示するように、所定の温度位置をピーク（図２９（ａ）では温度０℃）として、このピーク位置から離れるにしたがって、変化量を小さくするように設定することが好ましい。なお、図２９（ｂ）は図２８と同一である。
【０１８５】
図２９（ａ）は、映像振幅電圧Ｖｗの変化を比率で示している。図２９では、温度０℃の映像振幅電圧Ｖｗを１としている。温度−４０℃では、映像振幅電圧Ｖｗは０℃に対して０．９にする。例えば、温度０℃の映像振幅電圧Ｖｗが、２．０Ｖであれば、−４０℃での映像振幅電圧Ｖｗは、１．８Ｖとする。温度６０℃では、映像振幅電圧Ｖｗは０℃に対して０．８にする。例えば、温度０℃の映像振幅電圧Ｖｗが、２．０Ｖであれば、６０℃での映像振幅電圧Ｖｗは、１．６Ｖとする。以上のように本実施形態は、所定のピーク値に対して比率で各電圧を制御あるいは設定する。また、ある温度でピークの値を１とし、比例的に各温度の設定値を設定する。なお、映像振幅電圧Ｖｗに関しても図３０と同様に近似してもよいことは言うまでもない。
【０１８６】
（１２）階調表示への適応
以上の実施形態では、温度によりコモンセンター電圧Ｖｃｎｔ、コモン振幅電圧Ｖｃｐ、映像振幅電圧Ｖｗなどを変更あるいは変化させるとした。しかし、変化あるいは変更は温度だけでなく、階調表示などに適応させて変更などを行っても良い。
【０１８７】
（１３）各種機器への適用
本発明の実施形態で説明した液晶表示パネル、液晶表示装置あるいは駆動方法あるいは制御方法あるいは方式などの技術的思想は、ビデオカメラ、プロジェクター、立体（３Ｄ）テレビ、プロジェクションテレビ、ビューファインダ、携帯電話のメインモニター及びサブモニターあるいは時計表示部、ＰＨＳ、携帯情報端末などに適用できる。
【０１８８】
なお、本発明は上記各実施形態に限定されるものではなく、その実施の段階ではその要旨を逸脱しない範囲で種々な変形・変更が可能である。また、各実施形態は可能な限り適宜組み合わせて実施されてもよく、その場合は、その組み合わせによる特徴ある効果が得られる。
【図面の簡単な説明】
【０１８９】
【図１】液晶表示パネルの構成図である。
【図２】ＯＣＢ液晶の動作の説明図である。
【図３】従来の液晶表示パネルの駆動方法の説明図である。
【図４】従来の液晶表示パネルの駆動方法の説明図である。
【図５】本発明の液晶表示パネルの駆動方法の説明図である。
【図６】本発明の液晶表示パネルの駆動方法の説明図である。
【図７】本発明の液晶表示パネルの駆動方法の説明図である。
【図８】本発明の液晶表示パネルの駆動方法の説明図である。
【図９】本発明の液晶表示パネルの駆動方法の説明図である。
【図１０】本発明の液晶表示パネルの駆動方法の説明図である。
【図１１】本発明の液晶表示パネルの駆動方法の説明図である。
【図１２】本発明の液晶表示パネルの駆動方法の説明図である。
【図１３】本発明の液晶表示パネルの駆動方法の説明図である。
【図１４】本発明の液晶表示パネルの駆動方法の説明図である。
【図１５】本発明の液晶表示パネルの駆動方法の説明図である。
【図１６】本発明の液晶表示パネルの駆動回路の構成図である。
【図１７】本発明の液晶表示パネルの駆動回路の説明図である。
【図１８】本発明の液晶表示パネルの駆動回路の説明図である。
【図１９】本発明の液晶表示パネルの駆動回路の説明図である。
【図２０】本発明の液晶表示パネルの駆動回路の説明図である。
【図２１】本発明の液晶表示パネルの駆動回路の構成図である。
【図２２】本発明の液晶表示パネルの駆動方法の説明図である。
【図２３】本発明の液晶表示パネルの駆動方法の説明図である。
【図２４】本発明の液晶表示パネルの駆動方法の説明図である。
【図２５】本発明の液晶表示パネルの駆動方法の説明図である。
【図２６】本発明の液晶表示パネルの駆動回路の構成図である。
【図２７】本発明の液晶表示パネルの駆動回路の説明図である。
【図２８】本発明の液晶表示パネルの駆動方法の説明図である。
【図２９】本発明の液晶表示パネルの駆動方法の説明図である。
【図３０】本発明の液晶表示パネルの駆動方法の説明図である。
【図３１】本発明の液晶表示パネルの駆動方法の説明図である。
【図３２】本発明の液晶表示パネルの駆動方法の説明図である。
【図３３】本発明の液晶表示パネルの駆動方法の説明図である。
【図３４】本発明の液晶表示パネルの駆動方法の説明図である。
【図３５】本発明の液晶表示パネルの駆動方法の説明図である。
【図３６】本発明の液晶表示パネルの駆動方法の説明図である。
【図３７】本発明の液晶表示パネルの駆動方法の説明図である。
【図３８】本発明の液晶表示パネルの駆動方法の説明図である。
【符号の説明】
【０１９０】
１１    コントローラ回路
１２    ゲートドライバー回路
１４    ソースドライバー回路
１５    アレイ基板
１６    画素
１７    バックライトドライバー回路
１８    バックライト
１９    液晶表示パネル
２０    画像表示領域
２１    対向基板
２２    対向電極
２３    画素電極
２４    液晶層
【図１】
2007286134.tif 000003
【図２】
2007286134.tif 000004
【図３】
2007286134.tif 000005
【図４】
2007286134.tif 000006
【図５】
2007286134.tif 000007
【図６】
2007286134.tif 000008
【図７】
2007286134.tif 000009
【図８】
2007286134.tif 000010
【図９】
2007286134.tif 000011
【図１０】
2007286134.tif 000012
【図１１】
2007286134.tif 000013
【図１２】
2007286134.tif 000014
【図１３】
2007286134.tif 000015
【図１４】
2007286134.tif 000016
【図１５】
2007286134.tif 000017
【図１６】
2007286134.tif 000018
【図１７】
2007286134.tif 000019
【図１８】
2007286134.tif 000020
【図１９】
2007286134.tif 000021
【図２０】
2007286134.tif 000022
【図２１】
2007286134.tif 000023
【図２２】
2007286134.tif 000024
【図２３】
2007286134.tif 000025
【図２４】
2007286134.tif 000026
【図２５】
2007286134.tif 000027
【図２６】
2007286134.tif 000028
【図２７】
2007286134.tif 000029
【図２８】
2007286134.tif 000030
【図２９】
2007286134.tif 000031
【図３０】
2007286134.tif 000032
【図３１】
2007286134.tif 000033
【図３２】
2007286134.tif 000034
【図３３】
2007286134.tif 000035
【図３４】
2007286134.tif 000036
【図３５】
2007286134.tif 000037
【図３６】
2007286134.tif 000038
【図３７】
2007286134.tif 000039
【図３８】
2007286134.tif 000040